(57)【要約】【課題】  ワンセグ放送で提供するコンテンツでは使用できる帯域幅が狭いことから一画面に表示できる情報が少ない。また、基地局の配置関係などにより予め定められた提供エリア内では共通のコンテンツが配信され、提供エリア内のさらに小エリアのエリア情報を閲覧するためには、初期画面から階層表示された画面を何度も選択するなど、見たい情報に到達するまで複数の操作手順を踏む必要がある。そこで、より効率的に見たい情報を表示するサーバ、端末、情報配信システム及びプログラムが求められている。【解決手段】  防災情報を受信する受信部と、前記防災情報に前記防災情報を優先して表示させる小エリアのエリア情報を付加したデータ放送コンテンツを生成する演算処理部と、前記演算処理部により生成したデータ放送コンテンツを前記送信機へ送信する送信部と、を備えるサーバ。【選択図】図１
2012182531.tif 000002
【特許請求の範囲】
【請求項１】
データ放送コンテンツを作成し、前記作成したコンテンツを送信機を介して端末に配信するサーバであって、
防災情報を受信する受信部と、
前記防災情報に前記防災情報を優先して表示させる小エリアのエリア情報を付加したデータ放送コンテンツを生成する演算処理部と、
前記演算処理部により生成したデータ放送コンテンツを前記送信機へ送信する送信部と、
を備えるサーバ。
【請求項２】
ワンセグ放送コンテンツを表示する表示部と、
小エリアのエリア情報を付加された防災情報を含む前記ワンセグ放送コンテンツを受信する受信部と、
自己の位置情報を取得し、前記ワンセグ放送コンテンツに付加された前記エリア情報と前記位置情報とを比較し、前記エリアに前記端末が存在すると判定した場合には、優先して前記防災情報を前記表示部に表示させる演算処理部と、
を備える端末。
【請求項３】
ワンセグ放送コンテンツを表示する表示部と、
操作を演算処理部に伝達する入力部と、
小エリアのエリア情報を付加された防災情報を含む前記ワンセグ放送コンテンツを受信する受信部と、
自己の位置情報を取得し、前記ワンセグ放送コンテンツに付加された前記エリア情報と前記位置情報とを比較し、前記小エリアに前記端末が存在すると判定した場合には、前記小エリアのエリア情報を付加されたワンセグ放送コンテンツは、他の小エリアのエリア情報をもつワンセグ放送コンテンツよりも前記入力部の操作が少ない回数で表示部に表示させる演算処理部と、
を備える端末。
【請求項４】
前記入力部は、
各コンテンツごとに前記表示部への表示または非表示を設定し、表示する場合は表示順をさらに登録し、
前記演算処理部は、
自己の位置情報を取得し、前記ワンセグ放送コンテンツに付加された前記エリア情報と前記位置情報とを比較し、前記小エリアに前記端末が存在すると判定した場合には、前記入力部により登録されたコンテンツを前記表示順に前記表示部に表示させる請求項２または請求項３に記載する端末。
【請求項５】
特定のエリアに対してサーバで作成された防災情報を含むコンテンツを含むワンセグ放送コンテンツを送信機を介して端末へ配信する情報配信システムであって、
前記防災情報を受信する受信部と、
前記防災情報に前記防災情報を優先して表示させる小エリアのエリア情報を付加したコンテンツを生成する演算処理部と、
前記演算処理部により生成したコンテンツを前記送信機へ送信する送信部と、
を備えるサーバと、
前記ワンセグ放送コンテンツを表示する表示部と、
前記優先して情報を提供する小エリアのエリア情報を付加された防災情報を含む前記ワンセグ放送コンテンツを受信する受信部と、
自己の位置情報を取得し、前記ワンセグ放送コンテンツに付加された前記エリア情報と前記自己の位置情報とを比較し、前記小エリアに自己が存在すると判定した場合には、優先して前記防災情報を前記表示部に表示させる演算処理部と、
を備える端末と
を備える情報配信システム。
【請求項６】
特定のエリアに対してサーバで作成された防災情報を含むコンテンツを含むワンセグ放送コンテンツを送信機を介して端末へ配信する情報配信システムであって、
前記防災情報を受信する受信部と、
前記防災情報に前記防災情報を優先して表示させる小エリアのエリア情報を付加したコンテンツを生成する演算処理部と、
前記演算処理部により生成したコンテンツを前記送信機へ送信する送信部と、
を備えるサーバと、
前記ワンセグ放送コンテンツを表示する表示部と、
前記優先して情報を提供する小エリアのエリア情報を付加された防災情報を含む前記ワンセグ放送コンテンツを受信する受信部と、
操作を演算処理部に伝達する入力部と、
自己の位置情報を取得し、前記ワンセグ放送コンテンツに付加された前記エリア情報と前記位置情報とを比較し、前記小エリアに前記端末が存在すると判定した場合には、前記小エリアのエリア情報をもつワンセグ放送コンテンツは、前記小エリアに前記端末が存在すると判定した場合には、前記小エリアのエリア情報を付加されたワンセグ放送コンテンツは、他の小エリアのエリア情報をもつワンセグ放送コンテンツよりも前記入力部の操作が少ない回数で表示部に表示させる演算処理部と、
を備える端末と
を備える情報配信システム。
【請求項７】
特定のエリアに対してサーバで作成された防災情報を含むコンテンツを含むワンセグ放送コンテンツを送信機を介して端末へ配信する情報配信システムであって、
前記防災情報を受信する受信部と、
前記防災情報に前記防災情報を優先して表示させる小エリアのエリア情報を付加したコンテンツを生成する演算処理部と、
前記演算処理部により生成したコンテンツを前記送信機へ送信する送信部と、
を備えるサーバと、
ワンセグ放送コンテンツを表示する表示部と、
各コンテンツごとに前記表示部への表示または非表示を設定し、表示する場合は表示順をさらに登録する入力部と、
自己の位置情報を取得し、前記ワンセグ放送コンテンツに付加された前記エリア情報と前記位置情報とを比較し、前記エリアに前記端末が存在すると判定した場合には、前記入力部により登録されたコンテンツを前記表示順に前記表示部に表示させる演算処理部と、
を備える端末と、
を備える情報配信システム。
【請求項８】
ワンセグ放送コンテンツを演算処理部を備える端末の表示部に表示させるプログラムであって、
前記演算処理部に、
前記端末の位置情報を取得する機能と、
前記ワンセグ放送コンテンツに付加されたエリア情報と前記位置情報とを比較する機能と、
前記エリア情報と、前記位置情報とに基づき前記エリアに前記端末が存在すると判定した場合には、優先して前記防災情報を前記表示部に表示する機能と、
を実現させるプログラム。
【請求項９】
ワンセグ放送コンテンツを演算処理部を備える端末の表示部に表示させるプログラムであって、
前記演算処理部に
前記端末の位置情報を取得する機能と、
前記ワンセグ放送コンテンツに付加されたエリア情報と前記位置情報とを比較する機能と、
前記エリア情報と、前記位置情報とに基づき前記エリアに前記端末が存在すると判定した場合には、前記小エリアのエリア情報をもつワンセグ放送コンテンツは、他の小エリアのエリア情報を持つワンセグ放送コンテンツよりも入力操作が少ない回数で前記表示部に表示する機能と、
を実現させるプログラム。
【請求項１０】
ワンセグ放送コンテンツを演算処理部を備える端末の表示部に表示させるプログラムであって、
前記演算処理部に、
前記端末の位置情報を取得する機能と、
前記ワンセグ放送コンテンツに付加されたエリア情報と前記位置情報とを比較する機能と、
前記エリア情報と、前記位置情報とに基づき前記エリアに前記端末が存在すると判定した場合には、前記入力部により登録されたコンテンツを前記表示順に前記表示部に表示する機能と、
を実現させるプログラム。
【発明の詳細な説明】
【技術分野】
【０００１】
本発明の実施形態は、サーバ、端末、情報配信システム及びプログラムに関する。
【背景技術】
【０００２】
２００６年より開始されたワンセグ放送は、地上デジタル放送における十三セグメントの帯域幅のうち一セグメントを使用した低帯域放送である。このワンセグ放送技術を利用し、大型店舗・公共施設など配信エリアを限定したサービス（エリア限定ワンセグ）がある。
【先行技術文献】
【特許文献】
【０００３】
【特許文献１】特開２００９−２６０５６１号公報
【発明の概要】
【発明が解決しようとする課題】
【０００４】
ここで、ワンセグ放送で提供するコンテンツでは使用できる帯域幅が狭いことから一画面に表示できる情報が少ない。また、基地局の配置関係などにより予め定められた提供エリア内では共通のコンテンツが配信され、提供エリア内のさらに小エリアの情報を閲覧するためには、初期画面から階層表示された画面を何度も選択するなど、見たいまたは有用な情報に到達するまで複数の操作手順を踏む必要がある。
【０００５】
上記の事情に鑑み、コンテンツ情報量をできるだけ多くかつ速やかに配信・表示することができるサーバ、端末、情報配信システム及びプログラムを提供する。
【課題を解決するための手段】
【０００６】
上記目的を達成するために、サーバは、防災情報を受信する受信部と、前記防災情報に前記防災情報を優先して表示させる小エリアのエリア情報を付加したデータ放送コンテンツを生成する演算処理部と、前記演算処理部により生成したデータ放送コンテンツを前記送信機へ送信する送信部と、を備える。
【図面の簡単な説明】
【０００７】
【図１】本発明の実施形態に係る情報配信システムの構成を示す図。
【図２】本発明の実施形態に係る情報公開サーバの構成を示す図。
【図３】本発明の実施形態に係る端末の構成を示す図。
【図４】本発明の第１の実施形態の防災情報提供部、地域情報提供部、情報公開サーバおよびコンテンツ配信装置の動作を説明するためのフローチャート。
【図５】本発明の第１の実施形態の送信機および端末の動作を説明するためのフローチャート。
【図６】本発明の第２の実施形態に係る端末のデータ放送表示設定画面。
【図７】本発明の第２の実施形態の送信機および端末の動作を説明するためのフローチャート。
【発明を実施するための形態】
【０００８】
以下、本発明の実施態様について図面を参照しながら説明する。
【０００９】
（第１の実施形態）
本実施形態のコンテンツ選択表示システムは、図１に示すように、防災情報提供部１１と、地域情報提供部１２と、情報公開サーバ１３と、コンテンツ配信装置１４と、送信機２０（２０Ａ、２０Ｂ、２０Ｃ）、端末３０とを含む構成である。防災情報提供部１１と、地域情報提供部１２と、情報公開サーバ１３と、コンテンツ配信装置１４とは、有線または無線で接続されている。コンテンツ配信装置１４と送信機２０（２０Ａ、２０Ｂ、２０Ｃ）はインターネットなどの通信ネットワーク１００により接続されている。送信機２０（２０Ａ、２０Ｂ、２０Ｃ）と端末３０は、無線通信により接続される。
【００１０】
防災情報提供部１１は、気象注警報、土砂災害警報情報、地震情報、事故情報、犯罪などの事件情報等を防災情報として収集し、内部のデータベース（図示しない）に保存する。また、これらの防災情報の発生地域や発生源等の位置情報を防災情報と関連付けて保存する。その他の情報として避難誘導、発生時刻も保存してもよい。これらの保存された情報を情報公開サーバ１３へ配信する。また、防災情報提供部１１は、映像コンテンツを収集し、これら映像コンテンツをコンテンツ配信装置１４へ配信する。
【００１１】
地域情報提供部１２は、観光情報、イベント情報、交通情報、行政情報、お知らせ情報、気象情報といった事象を、地域情報として収集し、内部のデータベース（図示しない）に保存する。これらの事象の位置情報と地域情報を関連付けて保存する。その他に時刻等の情報も保存してもよい。これらの保存された情報を情報公開サーバ１３へ配信する。また、地域情報提供部が取得したライブ映像、映像素材などの映像コンテンツをコンテンツ配信装置１４へ配信する。
【００１２】
情報公開サーバ１３は、図２に示すように受信部１３１、演算処理部１３２、送信部１３４とを含む構成である。
【００１３】
受信部１３１は、防災情報提供部１１または地域情報提供部１２から防災情報、地域情報を受信する。
【００１４】
演算処理部１３２は、収集した防災情報、地域情報を含んだデータ放送コンテンツを作成する。具体的なデータ放送の作成方法について図１を参照しながら説明する。本実施形態では図１に示すように提供エリアＡは小エリアＡ１、Ａ２、Ａ３に分割したものとして説明する。提供エリアＢ、Ｃも同様に小エリアに分割されている。受信した防災情報や地域情報などのデータは、各データごとに、各データに含まれている位置情報に基づき小エリアＡ１、Ａ２、Ａ３、Ｂ１、…のうちいずれか一つ以上のエリアに関連付けてデータ放送コンテンツが作成される。各データに含まれている位置情報に基づき二以上のエリアが選択される場合もある。
【００１５】
また、データが防災情報であれば、気象注警報、土砂災害警報情報、地震情報、事故情報、犯罪などの事件情報の各属性情報を付加してもよい。
【００１６】
データが地域情報であれば、観光情報、イベント情報、交通情報、行政情報、お知らせ情報、気象情報の各属性情報を付加してもよい。
【００１７】
これらの付加された属性情報は後述する端末３０にインストールされたアプリケーションにより読み取られ利用される。
【００１８】
なお、エリアを三つに分ける他、二以上の地域に分ける様々な分け方が適用できる。
【００１９】
送信部１３４は、演算処理部１３２で作成したデータ放送コンテンツをコンテンツ配信装置１４へ送信する。
【００２０】
コンテンツ配信装置１４は、防災情報提供部１１及び地域情報提供部１２から収集した映像コンテンツと、情報公開サーバ１３から受信したデータ放送コンテンツをもとにワンセグ放送コンテンツを作成する。作成したワンセグ放送コンテンツを通信ネットワーク１００を介して、送信機２０（２０Ａ、２０Ｂ、２０Ｃ）へ配信する。
【００２１】
送信機２０（２０Ａ、２０Ｂ、２０Ｃ）は、ワンセグ放送コンテンツの配信をそれぞれのエリアに対して行う。本実施形態では、送信機２０Ａは、提供エリアＡに、送信機２０Ｂは、提供エリアＢに送信機２０Ｃは、提供エリアＣに、提供する。
【００２２】
端末３０は、図３に示すように受信部３０１、演算処理部３０２、記憶部３０３、送信部３０４と入力部３０５と表示部３０６とを含む構成であり、携帯電話やスマートフォンなど各種持ち運び可能な携帯端末である。
【００２３】
受信部３０１は、送信機２０から配信されてきたワンセグ放送コンテンツを受信する。
【００２４】
演算処理部３０２は、受信部３０１で受信したワンセグ放送コンテンツから小エリア情報を抽出する。また、端末３０の位置（ＧＰＳ）情報を取得する。
【００２５】
次に、インストールされたアプリケーション（プログラム）によりワンセグ放送コンテンツに割り当てられた小エリア情報と端末の位置（ＧＰＳ）情報とを比較する。比較した結果、端末３０の位置がワンセグ放送コンテンツに付加された小エリアＡ１乃至Ａ３に含まれている場合、該当する小エリア情報をもつワンセグ放送コンテンツを表示する。
【００２６】
その他、表示方法として該当する小エリア情報をもつワンセグ放送コンテンツは、入力部のＮ（Ｎ≧０、Ｎは整数）段階の操作で表示可能であるが、小エリアＡ２、Ａ３については、Ｎ＋１段階以上の操作を行わなければ表示部に表示できないとすることにより実現してもよい。
【００２７】
記憶部３０３は、各種アプリケーション（プログラム）、データを保存し、これらを演算処理部３０２の要求により提供する。
【００２８】
送信部３０４は、自己の位置情報を取得するために基地局や人工衛星等へ必要な情報を送信する。
【００２９】
入力部３０５は、例えばキーボード等の入力インターフェースである。
【００３０】
表示部３０６は、ワンセグ放送コンテンツを表示する画面である。例えば液晶画面や有機ＥＬ画面である。
【００３１】
通信ネットワーク１００は、ＩＰネットワークなどの通信回線である。本実施形態では有線のごとく記載しているが、有線、無線を問わず各種通信ネットワークを利用することができる。
【００３２】
次に本実施形態の動作について図４、図５を参照しながら説明する。
【００３３】
防災情報提供部１１は、気象注警報、土砂災害警報情報、地震情報、事故情報、犯罪などの事件情報等を防災情報として収集する（ステップＳ１１１）。
【００３４】
次に、これらの防災情報の発生地域や発生源等の位置情報とステップＳ１１１で取得したデータとを関連付けて内部のデータベース（図示しない）に保存する。その他の情報として避難誘導、発生時刻も保存してもよい（ステップＳ１１２）。
【００３５】
次に、これらの保存された情報を情報公開サーバ１３へ配信する（ステップＳ１１３）。
【００３６】
また、防災情報提供部１１は、ＣＣＴＶなどから映像コンテンツ収集し、これら映像コンテンツをコンテンツ配信装置１４へ配信する（ステップＳ１１４、１１５）。
【００３７】
地域情報提供部１２は、観光情報、イベント情報、交通情報、行政情報、お知らせ情報、気象情報といった事象を、地域情報として収集し、内部のデータベース（図示しない）に保存する（ステップＳ１２１）。
【００３８】
上記事象の位置情報を上記ステップＳ１２１で収集した地域情報と関連付けて保存する。その他に時刻等の情報を保存してもよい（ステップＳ１２２）。
【００３９】
これらの保存された情報を情報公開サーバ１３へ配信する（ステップＳ１２３）。
【００４０】
また、地域情報提供部が取得したライブ映像、映像素材などの映像コンテンツをコンテンツ配信装置１４へ配信する（ステップＳ１２４、Ｓ１２５）。
【００４１】
ステップＳ１１３およびステップＳ１２３により送られてきた情報を受信した情報公開サーバ１３は、収集した情報を含んだデータ放送コンテンツを作成する。
【００４２】
具体的には、各データごとに、各データに含まれている位置情報に基づき小エリアＡ１、Ａ２、Ａ３のうちいずれかのエリアに関連付けてデータ放送コンテンツが作成される（ステップＳ１３１、Ｓ１３２）。
【００４３】
次に、ステップＳ１３２で作成したコンテンツをコンテンツ配信装置１４へ配信する（ステップＳ１３３）。
【００４４】
ステップＳ１３３で生成されたデータ放送コンテンツおよびステップＳ１２３から送られてきた映像コンテンツを受信したコンテンツ配信装置１４は、防災情報提供部１１及び地域情報提供部１２から収集した映像コンテンツと、情報公開サーバ１３から受信したデータ放送コンテンツをもとにワンセグ放送コンテンツを作成する（ステップＳ１４１、Ｓ１４２、Ｓ１４３）。
【００４５】
作成したワンセグ放送コンテンツを通信ネットワーク１００を介して、送信機２０（２０Ａ、２０Ｂ、２０Ｃ）へ配信する（ステップＳ１４４）。
【００４６】
ステップＳ１４４により送られてきたワンセグ放送コンテンツを受信した送信機２０（２０Ａ、２０Ｂ、２０Ｃ）は、データの配信をそれぞれのエリアに対して行う。本実施形態では、送信機２０Ａは、提供エリアＡに、送信機２０Ｂは、提供エリアＢに送信機２０Ｃは、提供エリアＣに、提供する（ステップＳ２０１）。
【００４７】
端末３０は、アプリケーション機能により端末のＧＰＳ位置情報を読み込む（ステップＳ３０１）。またステップＳ２０１により送信機から送られてきたワンセグ放送コンテンツを受信する（ステップＳ３０２）。
【００４８】
ここで、ステップＳ３０１で読み込んだＧＰＳの位置情報と、ステップＳ３０２で受信したコンテンツのもつエリア情報とを比較し、ＧＰＳの位置がワンセグ放送コンテンツが提供されるエリアに含まれるか否かの判定を行う（ステップＳ３０３、Ｓ３０４）。
【００４９】
含まれない場合は、通常のコンテンツを表示する（ステップＳ３０５）。
【００５０】
含まれる場合として例えば端末３０が小エリアＡ１にいる場合は、小エリアＡ１に関連する特定のコンテンツを表示することができるが、小エリアＡ２、Ａ３については、表示することができない。
【００５１】
なお、このような場合に小エリアＡ１に関連するコンテンツは端末３０の入力部のＮ（Ｎ≧０、Ｎは整数）段階の操作で表示可能とし、小エリアＡ２、Ａ３については、Ｎ＋１段階以上の操作を行わなければ表示部に表示できないとしてもよい（ステップＳ３０６）。
【００５２】
このように、端末３０は、表示部に端末３０が存在するエリアに関連する情報を優先的に速やかに配信し表示させることができる。
【００５３】
（第２の実施形態）
第２の実施形態について説明する。
【００５４】
第２の実施形態は第１の実施形態と異なる点は、端末３０内で行われる処理である。
【００５５】
第２の実施形態の端末３０は、データ放送コンテンツを表示する表示部、ＧＰＳ機能、および入力部を備える携帯電話やスマートフォンなど各種持ち運び可能な携帯端末である。これらの端末に第１の実施形態同様にアプリケーションをインストールする。このアプリケーション機能により端末のＧＰＳ位置情報を読み込み、ＧＰＳ位置情報に該当する小エリアＡ１乃至Ａ３の位置情報が属性情報として付加された情報をデータ放送として表示することが可能となる。さらに、本実施形態では上記アプリケーションの機能として、端末に登録した設定情報に基づいて、データ放送コンテンツを端末に表示させる。設定情報は端末の記憶部３０３に登録可能とし、図６に示す様に、情報種別である各防災情報、各地域情報ごとに情報の表示／非表示を設定し、表示する場合は表示順を登録、保存させる。
【００５６】
コンテンツを表示する際は記憶部３０３から設定情報を読み出し、受信したコンテンツのうちから表示するコンテンツを選別し表示順に従って、表示させることによりさらなる利便性向上が見込まれる。
【００５７】
次に本実施形態の動作について図４、図７を用いて説明する。
【００５８】
ステップＳ１０１〜ステップＳ３０４までは第１の実施形態と同様であるので省略する。
【００５９】
ステップ３０４で端末３０のＧＰＳの位置情報と、ワンセグ放送コンテンツを提供するエリア情報とを比較し、ＧＰＳの位置がワンセグ放送コンテンツを提供するエリアに含まれるか否かの判定を行い、含まれない場合は、図６に示すアプリケーションであらかじめ設定された順序に並びかえ、通常のコンテンツを表示する（ステップＳ３０４−１、ステップＳ３０５）。
【００６０】
含まれる場合として例えば端末３０が小エリアＡ１にいる場合は、小エリアＡ１に関連する特定のコンテンツを表示し、小エリアＡ２、Ａ３については、表示させない。さらに表示するコンテンツを図６に示すアプリケーションであらかじめ設定されたデータを選択し順序に並びかえる（ステップＳ３０４−２）。
【００６１】
選択され、並びかえたコンテンツ表示する（ステップＳ３０６）
このようにすることで、第１の実施形態に比べさらに選択したコンテンツのみ表示することができ、好適なコンテンツを提供することができる。
【００６２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１１  …  防災情報提供部
１２  …  地域情報提供部
１３  …  情報公開サーバ
１４  …  コンテンツ配信装置
２０（２０Ａ、２０Ｂ、２０Ｃ）  …  送信機
３０  …  端末
１００  …  通信ネットワーク
Ａ、Ｂ、Ｃ  …  提供エリア
Ａ１、Ａ２、Ａ３  …  小エリア
【図１】
2012182531.tif 000003
【図２】
2012182531.tif 000004
【図３】
2012182531.tif 000005
【図４】
2012182531.tif 000006
【図５】
2012182531.tif 000007
【図６】
2012182531.tif 000008
【図７】
2012182531.tif 000009